(57)【特許請求の範囲】
【請求項１】
方形箱型のケース本体内に、短手側壁に平行な仕切板を３枚、長手側壁に平行な仕切板を２枚、それぞれ所定間隔で設けることにより、短手方向に３本、長手方向に４本、計１２本分の丸瓶又は角瓶を収納するボトル収納部を画成するとともに、前記長手側壁に、前記ボトル収納部内に収納された瓶のボトル形状やラベルを外部から識別するための窓部を設けたボトルケースにおいて、前記仕切板の設置間隔を、収納する丸瓶の外径よりも僅かに大きな寸法に設定するとともに、前記収納部内の前記丸瓶に接触しない位置に、角瓶を安定的に保持して収納するための角瓶保持部を突出形成し、前記短手側壁は、各ボトル収納部の中央部を外側に膨出して内面を丸瓶の胴部周面に対応した湾曲形状に形成するとともに、該湾曲形状に膨出した部分の両翼部を対向する仕切板の方向に突出して、前記膨出した部分の膨出端と前記短手側壁に対向する仕切板との間隔を収納する丸瓶の外径よりも僅かに大きな寸法に設定するとともに、前記両翼部と前記短手側壁に対向する仕切板との間隔を収納する角瓶一辺の長さより僅かに大きな寸法に設定し、前記長手側壁の前記窓部近傍の側壁内面に、角瓶の底部を収納部内にガイドするガイド部を設け、該ガイド部は、丸瓶や角瓶の正規な位置への収納に邪魔にならない範囲で、窓部の下部両側にそれぞれ突出形成された縦リブからなるものであって、該縦リブの上部は、角瓶の底部を円滑にガイドできるように、滑らかな円弧面あるいは斜辺で長手側壁の内面につながっていることを特徴とするボトルケース。
【発明の詳細な説明】
【０００１】
【発明の属する技術分野】
本発明は、ボトルケースに関し、詳しくは、底面積が同程度の丸瓶と角瓶とを安定した状態で収納することができるボトルケースに関する。
【０００２】
【従来の技術及び発明が解決しようとする課題】
各種飲料等を充填したボトル、特にガラス瓶を収納するボトルケースとして、ケース本体内にボトルの外形に対応する仕切板を設けたプラスチック製ボトルケースが知られている。
【０００３】
このようなボトルケースは、通常、丸瓶の寸法に対応させて仕切板の間隔を設定しているため、このボトルケースに同容量の角瓶を収納する場合は、角瓶がガタつかないように、適宜なスペーサーを使用する必要があった。
【０００４】
例えば、四合瓶（７２０ｍｌ瓶）で底面積が４９ｃｍ２の場合、丸瓶の外径は約７９ｍｍとなり、角瓶の一辺の長さは約７０ｍｍとなる。したがって、丸瓶に対応して設けた仕切板間の収納部に角瓶を収納すると、９ｍｍ程度の隙間が生じることになる。
【０００５】
このような隙間が発生した状態では、輸送中の振動で角瓶が大きく揺れ動き、角瓶同士が衝突して割れたりすることがあるため、角瓶を収納する都度、手作業で前記スペーサーを挿入しなければならなかった。このようなことから、角瓶は、別途製作した専用の段ボール箱に収納して輸送したり、保管したりするか、丸瓶，角瓶それぞれの専用ケースを使用することがあった。
【０００６】
また、プラスチック製ボトルケースでは、収納した商品を側方から確認できるように、ケース側壁にボトル収納部に対応した窓部を設けることが通例となっている。ところが、このような窓部を有するボトル収納部に角瓶を収納する場合、角瓶を傾けて入れたりすると、角瓶の底部が窓部から飛び出し、窓部の下辺に乗り上げた状態になってしまうことがあった。このような状態で収納されると、外部から衝撃や振動等によって瓶が破損するおそれがあった。
【０００７】
そこで本発明は、同程度の底面積を有する丸瓶と角瓶とを、スペーサー等を用いずに安定した状態で収納することができるとともに、角瓶底部が窓部から飛び出すことも防止できるボトルケースを提供することを目的としている。
【０００８】
【課題を解決するための手段】
上記目的を達成するため、本発明のボトルケースは、方形箱型のケース本体内に、短手側壁に平行な仕切板を３枚、長手側壁に平行な仕切板を２枚、それぞれ所定間隔で設けることにより、短手方向に３本、長手方向に４本、計１２本分の丸瓶又は角瓶を収納するボトル収納部を画成するとともに、前記長手側壁に、前記ボトル収納部内に収納された瓶のボトル形状やラベルを外部から識別するための窓部を設けたボトルケースにおいて、前記仕切板の設置間隔を、収納する丸瓶の外径よりも僅かに大きな寸法に設定するとともに、前記収納部内の前記丸瓶に接触しない位置に、角瓶を安定的に保持して収納するための角瓶保持部を突出形成し、前記短手側壁は、各ボトル収納部の中央部を外側に膨出して内面を丸瓶の胴部周面に対応した湾曲形状に形成するとともに、該湾曲形状に膨出した部分の両翼部を対向する仕切板の方向に突出して、前記膨出した部分の膨出端と前記短手側壁に対向する仕切板との間隔を収納する丸瓶の外径よりも僅かに大きな寸法に設定するとともに、前記両翼部と前記短手側壁に対向する仕切板との間隔を収納する角瓶一辺の長さより僅かに大きな寸法に設定し、前記長手側壁の前記窓部近傍の側壁内面に、角瓶の底部を収納部内にガイドするガイド部を設け、該ガイド部は、丸瓶や角瓶の正規な位置への収納に邪魔にならない範囲で、窓部の下部両側にそれぞれ突出形成された縦リブからなるものであって、該縦リブの上部は、角瓶の底部を円滑にガイドできるように、滑らかな円弧面あるいは斜辺で長手側壁の内面につながっていることを特徴としている。
【０００９】
【発明の実施の形態】
図１乃至図３は、本発明のボトルケースの一形態例を示すもので、図１は平面図、図２は一部切欠き正面図、図３は要部の斜視図である。このボトルケースは、方形箱型のケース本体１内に、短手側壁２に平行な仕切板３を３枚、長手側壁４に平行な仕切板５を２枚、それぞれ所定間隔で設けることにより、短手方向に３本、長手方向に４本、計１２本分のボトル収納部６を形成している。
【００１０】
前記仕切板３及び仕切板５の設置間隔は、収納する丸瓶Ａの外径よりも僅かに大きな寸法Ａｄに設定されており、各仕切板３の所定位置には、角瓶を保持するための角瓶保持部７が突出形成されている。また、前記短手側壁２は、各ボトル収納部６において、その中央部２ａが外側に膨出した湾曲形状に形成されており、その両翼部２ｂが、対向する仕切板３の方向に突出した状態になっている。
【００１１】
さらに、長手側壁４には、ボトル収納部６内の収納物を外部から識別するための窓部８が設けられている。この窓部８は、ボトル形状やラベル等の確認を容易に行えるように、ボトル胴部の相当の範囲が露出する大きさに形成されている。
【００１２】
前記短手側壁２の中央部２ａに形成された湾曲形状は、その内面が丸瓶Ａの胴部周面に対応した形状を有しており、その膨出端と、該短手側壁２に対向する仕切板３との間隔が、前記寸法Ａｄとなるように設定されている。また、両翼部２ｂの内面と仕切板３との間隔は、収納する角瓶Ｂの一辺の長さより僅かに大きな寸法Ｂｄになるように設定されている。
【００１３】
一方、前記角瓶保持部７は、丸瓶Ａを収納したときには、丸瓶Ａとは接触しない位置及び大きさに形成されるとともに、角瓶Ｂを収納したときには、その先端が角瓶Ｂの胴部に当接して対向する角瓶保持部７同士の間、あるいは、角瓶保持部７と対向する側壁との間で角瓶Ｂを安定した状態で保持できる寸法、即ち前記寸法Ｂｄになるように形成されている。
【００１４】
また、前記窓部８の近傍には、図１に示す角瓶Ｃのように、傾いた状態でボトル収納部６内に挿入されたときに、角瓶Ｃの底部が窓部８から飛び出すことを防止して角瓶Ｃの底部をボトル収納部６内にガイドするためのガイド部９が設けられている。
【００１５】
このガイド部９は、丸瓶Ａや角瓶Ｂの正規な位置への収納に邪魔にならない範囲で、窓部８の下部両側にそれぞれ突出形成された縦リブからなるもので、その上部は、角瓶Ｂの底部を円滑にガイドできるように、滑らかな円弧面あるいは斜辺で長手側壁４の内面につながっている。
【００１６】
このように形成したボトルケースは、図１に想像線で示すように、丸瓶Ａを収納したときには、その胴部外周が仕切板３，５や側壁２，４によって形成されたボトル収納部６の壁面に当接した状態となり、角瓶Ｂを収納したときには、角瓶保持部７と、この角瓶保持部７に対向する角瓶保持部７や収納部壁面との間に挟まれた状態となる。さらに、角瓶Ｃのように、その底部が窓部８方向に向いた状態でボトル収納部６内に挿入されたときも、角瓶Ｂの底部が前記ガイド部９に当接してボトル収納部６内にガイドされる。
【００１７】
したがって、底面積が同程度の丸瓶Ａと角瓶Ｂとを、ボトル収納部６内に安定した状態で収納することができ、輸送中の振動で角瓶Ｂが破損することがなくなり、スペーサーを挿入する作業も必要なくなる。また、両瓶が混在しても問題はない。
【００１８】
なお、仕切板５や角瓶保持部７、窓部８、ガイド部９の形状は、その機能を達成可能な範囲で任意に設定することができ、上記形態例に示す形状に限定されるものではない。例えば、角瓶保持部７は、ボトル収納部６の隅部に三角形状のものを設けてもよく、角瓶Ｂの胴部における上部と下部（底部）とを別個に保持するよう複数箇所に設けてもよい。
【００１９】
【発明の効果】
以上説明したように、本発明のボトルケースによれば、一種類のケースに丸瓶と角瓶のいずれでも安定した状態で収納することができ、角瓶の底部が窓部から飛び出すことも防止できる。
【図面の簡単な説明】
【図１】  本発明のボトルケースの一形態例を示す平面図である。
【図２】  同じく一部切欠き正面図である。
【図３】  同じく要部の斜視図である。
【符号の説明】
１…ケース本体、２…短手側壁、３…仕切板、４…長手側壁、５…仕切板、６…ボトル収納部、７…角瓶保持部、８…窓部、９…ガイド部、Ａ…丸瓶、Ｂ，Ｃ…角瓶
【図１】
0003779086.tif 000002
【図２】
0003779086.tif 000003
【図３】
0003779086.tif 000004